(57)【特許請求の範囲】
【請求項１】
端子が接続可能とされる複数の端子接続部が並べて設けられた端子接続面を有するシーケンサ端子台であって、
前記端子接続部の配列方向と平行な第１の方向側に突出形成されたバンド取付部を備え、
前記バンド取付部は、前記第１の方向側に突出形成された２本の第１脚部と、前記第１脚部の先端同士を連結させる第１連結部とを有し、
前記バンド取付部が形成される取付部形成面と、前記第１脚部と、前記第１連結部とに囲まれた領域が、結束バンドを挿通可能な挿通穴となり、
前記取付部形成面と前記第１連結部との間隔が前記結束バンドの幅よりも大きいことを特徴とするシーケンサ端子台。
【請求項２】
前記バンド取付部は、前記取付部形成面から前記第１の方向側に突出形成された第２脚部と、前記第２脚部の先端と前記第１連結部の中間部分とを連結させる第２連結部と、をさらに有し、
前記第１連結部と前記第２連結部とでＴ字形状を呈することを特徴とする請求項１に記載のシーケンサ端子台。
【請求項３】
前記第１脚部、前記第１連結部、前記第２脚部および前記第２連結部のうち、これらに囲まれた領域の内側に面する角部には、面取り加工が施されることを特徴とする請求項２に記載のシーケンサ端子台。
【請求項４】
前記第１脚部は、前記取付部形成面の縁部に突出形成されることを特徴とする請求項１〜３のいずれか１つに記載のシーケンサ端子台。
【請求項５】
請求項１〜４のいずれか１つに記載のシーケンサ端子台と、
前記シーケンサ端子台が取り付けられる本体部と、を備えることを特徴とするシーケンサ。
【請求項６】
請求項５に記載の複数のシーケンサと、
前記複数のシーケンサが並べて固定されるベースと、を備えることを特徴とするシーケンサユニット。
【発明の詳細な説明】
【技術分野】
【０００１】
本発明は、シーケンサ端子台、シーケンサおよびシーケンサユニットに関する。
【背景技術】
【０００２】
従来より、ＦＡ機器等のシステムに用いられるシーケンサユニットでは、複数のシーケンサが並べて固定される。このようなシーケンサは、信号の入出力をするための配線が接続される複数の端子接続部が並べて設けられた端子台を備える。端子接続部に接続された複数の配線をまとめずにそのままにしておくと隣接するシーケンサと干渉することでシーケンサの着脱が困難になってしまう。また、配線状態の視認性も低下しやすく、配線の脱落などの発見が遅れ、地絡等の予防が困難になってしまう。【０００３】
そのため、端子接続部に接続された複数の配線は、結束バンドによって結束されてまとめられることが一般的である。また、配線のばらつきをより一層抑えるために、配線をまとめた結束バンドを固定することが行われる。例えば、特許文献１では、端子台に結束バンドを固定するためのバンド取付部が形成されている。
【先行技術文献】
【特許文献】
【０００４】
【特許文献１】実開昭６１−６３７７６号公報
【発明の概要】
【発明が解決しようとする課題】
【０００５】
しかしながら、上記従来の技術によれば、配線を引き回す経路と重なる位置にバンド取付部が設けられているため、配線のスペースが圧迫されてしまう。そのため、配線作業の際、バンド取付部が邪魔になり、作業性の低下を招くおそれがある。【０００６】
本発明は、上記に鑑みてなされたものであって、配線の邪魔になりにくいバンド取付部を有するシーケンサ端子台を得ることを目的とする。
【課題を解決するための手段】
【０００７】
上述した課題を解決し、目的を達成するために、本発明は、端子が接続可能とされる複数の端子接続部が並べて設けられた端子接続面を有するシーケンサ端子台であって、端子接続部の配列方向と平行な第１の方向側に突出形成されたバンド取付部を備え、バンド取付部は、第１の方向側に突出形成された２本の第１脚部と、第１脚部の先端同士を連結させる第１連結部とを有し、バンド取付部が形成される取付部形成面と、第１脚部と、第１連結部とに囲まれた領域が、結束バンドを挿通可能な挿通穴となることを特徴とする。
【発明の効果】
【０００８】
本発明によれば、配線の邪魔になりにくいバンド取付部を有するシーケンサ端子台を得ることができるという効果を奏する。
【図面の簡単な説明】
【０００９】
【図１】図１は、本発明の実施の形態１にかかるシーケンサユニットの概略構成を示す正面図である。
【図２】図２は、シーケンサユニットの底面図である。
【図３】図３は、シーケンサ端子台を備えるシーケンサの概略構成を示す斜視図である。
【図４】図４は、シーケンサ端子台の概略構成を示す図であって、正面側から見た斜視図である。
【図５】図５は、図４に示すＡ部分を拡大した部分拡大図である。
【図６】図６は、バンド取付部分の右側面図である。
【図７】図７は、図６に示すＢ−Ｂ線に沿った矢視断面図である。
【図８】図８は、バンド取付部に結束バンドを取り付けた状態を模式的に示す図である。
【図９】図９は、結束バンドで配線をまとめた状態を模式的に示す図である。
【図１０−１】図１０−１は、バンド取付部周辺のシボ加工の手順を示す図である。
【図１０−２】図１０−２は、バンド取付部周辺のシボ加工の手順を示す図である。
【図１０−３】図１０−３は、バンド取付部周辺のシボ加工の手順を示す図である。
【図１１−１】図１１−１は、比較例として示すバンド取付部周辺のシボ加工の手順を示す図である。
【図１１−２】図１１−２は、比較例として示すバンド取付部周辺のシボ加工の手順を示す図である。
【図１１−３】図１１−３は、比較例として示すバンド取付部周辺のシボ加工の手順を示す図である。
【図１２】図１２は、他の比較例として示すバンド取付部部分の部分拡大斜視図である。
【図１３】図１３は、本発明の実施の形態２にかかるシーケンサ端子台のバンド取付部部分を拡大した部分拡大斜視図であって、バンド取付部に結束バンドを取り付けた状態を示す図である。
【発明を実施するための形態】
【００１０】
以下に、本発明の実施の形態にかかるシーケンサ端子台、シーケンサおよびシーケンサユニットを図面に基づいて詳細に説明する。なお、この実施の形態によりこの発明が限定されるものではない。
【００１１】
実施の形態１．
図１は、本発明の実施の形態１にかかるシーケンサユニットの概略構成を示す正面図である。図２は、シーケンサユニットの底面図である。シーケンサユニット２は、ベース１０とシーケンサ１１とを備えており、ベース１０に対して複数のシーケンサ１１が並べて固定されている。
【００１２】
ベース１０とシーケンサ１１とが対向する面には、互いに嵌合するコネクタ（図示せず）が設けられており、このコネクタを介してシーケンサ１１間が電気的に接続され、情報の送受信や電源の送受電が行われる。
【００１３】
図３は、シーケンサ端子台を備えるシーケンサの概略構成を示す斜視図である。図４は、シーケンサ端子台の概略構成を示す図であって、正面側から見た斜視図である。シーケンサ１１は、図３に示すように、全体として直方体に近い形状を呈しており、本体部７の正面側にシーケンサ端子台１を備える。
【００１４】
シーケンサ端子台１には、配線が接続可能とされる複数の端子接続部１２が、シーケンサ１１の配列方向と垂直かつベース１０のシーケンサ取付面１０ａと平行な矢印Ｘに示す方向に並べて設けられている。端子接続部１２は、例えば図４に示すように、配線の先端に設けられた端子（図示せず）をビスで固定できるようになっている。
【００１５】
図５は、図４に示すＡ部分を拡大した部分拡大図である。シーケンサ端子台１のうち、シーケンサ１１に取り付けられた状態でシーケンサ１１の底面側となる面（取付部形成面１ａ）には、バンド取付部５が形成される。バンド取付部５は、取付部形成面１ａに対して、端子接続部１２の配列方向（矢印Ｘに示す方向）と平行な矢印Ｙに示す方向（第１の方向）側に突出形成される。また、本構造は端子台本体のハウジング部に形成されるため、配線性に悪影響を与えることがない。
【００１６】
図６は、バンド取付部分の右側面図である。図７は、図６に示すＢ−Ｂ線に沿った矢視断面図である。バンド取付部５は、第１脚部１３、第１連結部１４、第２脚部１５、第２連結部１６を有する。
【００１７】
第１脚部１３は２本設けられており、取付部形成面１ａから矢印Ｙに示す方向側に突出形成される。図７に示すように、２本の第１脚部１３は、取付部形成面１ａの縁部に形成される。第１連結部１４は、第１脚部１３の先端同士を連結させる。これにより、バンド取付部５はリング形状を呈することとなり、取付部形成面１ａ、第１脚部１３、第１連結部１４に囲まれた領域が、結束バンド４が挿通可能な挿通穴となる。
【００１８】
第２脚部１５は、取付部形成面１ａから矢印Ｙに示す方向側に突出形成される。第２連結部１６は、第２脚部１５の先端と第１連結部１４の中間部分とを連結させる。これにより、第１連結部１４と第２連結部１６とが平面視においてＴ字形状を呈する。また、取付部形成面１ａ、第１脚部１３、第１連結部１４、第２連結部１６、第２脚部１５に囲まれた領域も、結束バンド４が挿通可能な挿通穴となり、結果として図７に示すように、結束バンド４を挿通可能な３つのルートが形成される。
【００１９】
図８は、バンド取付部５に結束バンド４を取り付けた状態を模式的に示す図である。結束バンド４を挿通可能な３つのルートが形成されることで、図８に示すように、１つのバンド取付部５に対して複数の結束バンド４を取り付けることができる。
【００２０】
また、図７に示すように、第１脚部１３、第１連結部１４、第２脚部１５および第２連結部１６のうち、これらに囲まれた領域の内側に面する角部１７、すなわち挿通穴に面する角部１７には、面取り加工が施されている。
【００２１】
図９は、結束バンド４で配線３をまとめた状態を模式的に示す図である。図９に示すように、結束バンド４は、端子接続部１２に接続された複数の配線３をまとめて束ねるために用いられる。また、結束バンド４は、配線３をまとめて束ねる際に、バンド取付部５に締結される。端子接続部１２に接続された複数の配線３は、端子接続部１２が設けられた面上を通って、シーケンサ１１の底面側へと引き回される（図１，２も参照）。
【００２２】
以上説明したシーケンサ端子台１、シーケンサ１１およびシーケンサユニット２によれば、シーケンサ端子台１において、端子接続部１２の配列方向と平行な矢印Ｙに示す方向側にバンド取付部５が突出形成されるので、図９に示すように、端子接続部１２が設けられた面上を通る配線３の配線経路から外れた位置にバンド取付部５が設けられることとなる。したがって、バンド取付部５が配線作業の邪魔になりにくく、作業性の低下を抑えることができる。
【００２３】
また、配線３を結束バンド４により一体化し、シーケンサ端子台１に固定することにより、システムの見栄えが向上するとともに配線３が隣接するシーケンサ１１に干渉しにくくなるため、シーケンサ１１の着脱が容易になる。
【００２４】
また、配線３とシーケンサ端子台１とが一体化するため、シーケンサ端子台１をシーケンサ１１の本体部７から分離した際に、そのまま他のシーケンサ１１の本体部７に取り付けて利用することができる。
【００２５】
また、配線３を引っ張ることに対する引っ張り強度が向上するとともに、配線３が脱落したとしても結束バンド４により一体化されているため、地絡の危険性を減らすことが可能である。
【００２６】
また、図８に示すように、バンド取付部５には複数の結束バンド４を固定することができるので、複数の配線３をいくつかのグループに分けてまとめることができる。この場合にも、結束バンド４同士が干渉しにくいため、作業性の向上を図ることができる。また、複数のグループに分けてまとめることができるので、例えば、信号線や電源線といった一緒にまとめにくい配線同士をグループに分けてまとめることが可能となる。
【００２７】
また、使用する挿通穴を選択することにより、目的に応じた固定方法を選択可能である。例えば、配線を下方に引き出して固定したい場合には、図８における結束バンド４ａのように挿通穴を選択することができる。また、配線を正面に引き出して隣接するシーケンサ１１の端子台への渡り配線を固定したい場合には、図８における結束バンド４ｂのように挿通穴を選択することができる。また、ベース１０方向に引っ張り配線を見えにくくし、見栄えを上げて固定したい場合には、図８における結束バンド４ｃのように挿通穴を選択することができる。このように、複数の結束バンド４を用いない場合でも、いずれの挿通穴に結束バンド４を挿通させるかを選択することで、配線経路に適した姿勢で結束バンド４を固定することができる。
【００２８】
また、図７に示すように、挿通穴に面する角部１７には、面取り加工が施されているため、結束バンド４を挿入穴に挿入させる際に、結束バンド４の先端が面取り加工された角部１７によって円滑に挿通穴内に案内されやすくなる。そのため、挿通穴に結束バンド４を挿入させやすくなり、結束バンド４の取付作業の容易化を図ることができる。これにより、暗所での作業性の向上も図ることができる。
【００２９】
また、角部１７は、結束バンド４が締結された際に結束バンド４が接触する部分である。そのため、角部１７に面取り加工が施されていることで、結束バンド４への局所的な負荷がかかりにくくなる。これにより、結束バンド４が損傷しにくくなる。
【００３０】
また、シーケンサ端子台１の表面にはシボ加工が施される場合がある。本実施の形態１にかかるシーケンサ端子台１のバンド取付部５によれば、シボ加工の施工性の向上およびシボ加工後のシーケンサ端子台１の見栄えの向上を図ることができる。この点について、図面を用いて詳細に説明する。
【００３１】
まず、シボ加工の手順について説明する。図１０−１〜１０−３は、バンド取付部５周辺のシボ加工の手順を示す図である。図１０−１では、シボ加工が未加工の状態のバンド取付部５周辺を示している。そして、図１０−２に示すように、バンド取付部５の挿通穴に冶具として金型スライドコア１８が挿入された状態で、取付部形成面１ａを含むシーケンサ端子台１の表面にシボ加工が施される。
【００３２】
この際、金型スライドコア１８に覆われた領域にはシボ加工が施されず、シボ加工が未施工な領域となる。しかしながら、図１０−３に示すように、バンド取付部５の第１脚部１３が、取付部形成面１ａの縁部に形成されているため、シボ加工が未施工な領域のほとんどがバンド取付部５に隠れてしまう。そのため、シボ加工が未施工な領域が見えにくくなり、シーケンサ端子台１の見栄えの向上を図ることができる。
【００３３】
なお、シボ加工が未施工な領域の幅は、金型スライドコア１８の幅によって定まる。金型スライドコア１８は、取付部形成面１ａ、第１脚部１３、第１連結部１３に囲まれた挿通穴から挿入されるため、この挿通穴の幅よりもシボ加工が未施工な領域の幅が大きくなることはない。
【００３４】
そこで、第２連結部１６の幅を、少なくとも取付部形成面１ａ、第１脚部１３、第１連結部１４に囲まれた挿通穴の幅以上の大きさにすることで、平面視においてシボ加工の未施工な領域を第１連結部１４と第２連結部１６の裏側により確実に隠すことが可能となる。また、第２連結部１６の幅をより大きくすることで、シボ加工の未施工な領域をより一層見えにくくすることができる。
【００３５】
また、金型スライドコア１８の挿入方向に第２脚部１５が設けられているので、第２脚部１５に突き当たるまで金型スライドコア１８を挿入することができる。そのため、金型スライドコア１８の挿入時に挿入量の微調整等が不要となり、施工性の向上を図ることができる。
【００３６】
次に、比較例として示すバンド取付部１５０を備えるシーケンサ端子台１００へのシボ加工の手順を説明する。図１１−１〜１１−３は、比較例として示すバンド取付部周辺のシボ加工の手順を示す図である。
【００３７】
比較例として示すバンド取付部１５０では、一方の脚部１１３が取付部形成面１００ａの縁部から離れた位置に形成されている。そのため、金型スライドコア１８に覆われることでシボ加工が未施工となる領域の一部が、バンド取付部１５０に隠れずに露出してしまい、シーケンサ端子台１００の見栄えの低下を招いてしまう場合がある。一方、本実施の形態では、上述したように、シボ加工が未施工な領域が見えにくいため、見栄えの向上を図ることができる。
【００３８】
図１２は、他の比較例として示すバンド取付部部分の部分拡大斜視図である。他の比較例として示すバンド取付部２００では、１つの結束バンド４を設ける際に、一方の挿通穴に結束バンド４の先端を挿入する作業と、他方の挿通穴から結束バンド４の先端を引き出すという２ステップの作業が必要となる。そのため、結束バンド４を設ける際の工数の増加や作業性の低下が問題となりやすい。一方、本実施の形態では、結束バンド４の先端を挿通穴に１回挿通させるだけで結束バンド４を設けることができるので、工数の増加を抑え、作業性の向上を図ることができる。
【００３９】
実施の形態２．
図１３は、本発明の実施の形態２にかかるシーケンサ端子台のバンド取付部部分を拡大した部分拡大斜視図であって、バンド取付部に結束バンドを取り付けた状態を示す図である。なお、上記実施の形態１と同様の構成については、同様の符号を付して詳細な説明を省略する。
【００４０】
本実施の形態２にかかるシーケンサ端子台５１のバンド取付部５５には、上記実施の形態で説明した第２脚部１５と第２連結部１６（図５等も参照）が設けられていない。一方、実施の形態１と同様に、２本の第１脚部５３が取付部形成面５１ａの縁部に形成されているため、シボ加工が未施工となる領域を第１連結部５４を含むバンド取付部５５によって隠すことができる。なお、金型スライドコア１８（図１０−２も参照）を第２脚部１５に突き当てることができないため施工性は若干低下する。
【００４１】
また、実施の形態１と同様に、端子接続部１２の配列方向と平行な矢印Ｙに示す方向側にバンド取付部５５が突出形成されるので、端子接続部１２に接続される配線３の配線経路から外れた位置にバンド取付部５５が設けられることとなる。したがって、バンド取付部５５が配線作業の邪魔になりにくく、作業性の低下を抑えることができる。
【００４２】
また、結束バンド４の先端を挿通穴に１回挿通させるだけで結束バンド４を設けることができるので、図１２に示すバンド取付部２００のように、結束バンド４を穴に挿通した後、穴の位置を合わせ、引き出す必要がなくなるため、工数の増加を抑え、作業性の向上を図ることができる。
【産業上の利用可能性】
【００４３】
以上のように、本発明にかかるシーケンサ端子台は、端子接続部に複数の配線が接続されるシーケンサ端子台に有用である。
【符号の説明】
【００４４】
１  シーケンサ端子台、１ａ  取付部形成面、２  シーケンサユニット、３  配線、４４ａ，４ｂ，４ｃ  結束バンド、５  バンド取付部、７  本体部、１０  ベース、１０ａ  シーケンサ取付面、１１  シーケンサ、１２  端子接続部、１３  第１脚部、１４  第１連結部、１５  第２脚部、１６  第２連結部、１７  角部、１８  金型スライドコア、５１  シーケンサ端子台、５１ａ  取付部形成面、５３  第１脚部、５４  第１連結部、５５  バンド取付部、１００  シーケンサ端子台、１１３  脚部、１５０，２００  バンド取付部。
【要約】
端子が接続可能とされる複数の端子接続部（１２）が並べて設けられた端子接続面を有するシーケンサ端子台（１）は，端子接続部（１２）の配列方向（Ｘ）と平行な第１の方向（Ｙ）側に突出形成されたバンド取付部（５）を有する。バンド取付部（５）は，第１の方向（Ｙ）側に突出形成された２本の第１脚部（１３）と，第１脚部（１３）の先端同士を連結させる第１連結部（１４）とを有する。そして，バンド取付部（５）が形成される取付部形成面（１ａ）と，第１脚部（１３）と，第１連結部（１４）とに囲まれた領域が，結束バンド（４）を挿通可能な挿通穴となる。【図１】
0005456215.tif 000002
【図２】
0005456215.tif 000003
【図３】
0005456215.tif 000004
【図４】
0005456215.tif 000005
【図５】
0005456215.tif 000006
【図６】
0005456215.tif 000007
【図７】
0005456215.tif 000008
【図８】
0005456215.tif 000009
【図９】
0005456215.tif 000010
【図１０−１】
0005456215.tif 000011
【図１０−２】
0005456215.tif 000012
【図１０−３】
0005456215.tif 000013
【図１１−１】
0005456215.tif 000014
【図１１−２】
0005456215.tif 000015
【図１１−３】
0005456215.tif 000016
【図１２】
0005456215.tif 000017
【図１３】
0005456215.tif 000018